(57)【要約】【課題】  硬貨識別装置の釣銭筒ユニット部を取り外して持ち去るような犯罪行為を防止および抑止することができるようにする。【解決手段】  硬貨識別ユニット部１に隣接して本体部４に着脱自在に設けられた釣銭筒ユニット部２にキーシリンダ錠５を備えるようにした。キーシリンダ錠５は、その施錠・解錠動作に連動して回動するロックレバー６を有し、施錠時には、そのロックレバー６が本体部４の側面壁に設けられた角穴７に嵌合することにより、釣銭筒ユニット部２を手前に引き抜くことができないようにして、釣銭筒ユニット部２の盗難を防止および抑止するようにした。【選択図】  図１
2005339010.tif 000002
【特許請求の範囲】
【請求項１】
硬貨の種類を識別し金種別に硬貨の行き先を振り分ける硬貨識別ユニット部と、識別された前記硬貨を釣銭または返却硬貨として保留しておく釣銭筒ユニット部と、前記釣銭筒ユニット部より硬貨を払い出す払い出しユニット部とを本体部に装着して構成される硬貨識別装置において、
前記本体部に着脱自在に装着された前記釣銭筒ユニット部に設けられて前記釣銭筒ユニット部を前記本体部から容易に取り外せないようにする施錠手段を備えていることを特徴とする硬貨識別装置。
【請求項２】
前記施錠手段は、前記釣銭筒ユニット部の前面に取り付けられたキーシリンダ錠であることを特徴とする請求項１記載の硬貨識別装置。
【請求項３】
前記キーシリンダ錠は、施錠時の回転動作によって前記本体部に嵌合されることにより前記釣銭筒ユニット部の離脱方向の動きを規制するロックレバーを有していることを特徴とする請求項２記載の硬貨識別装置。
【請求項４】
前記キーシリンダ錠は、施錠時の回転動作によって前記硬貨識別ユニット部と前記釣銭筒ユニット部との間に設けられた前記本体部の仕切り壁に嵌合されることにより前記釣銭筒ユニット部の離脱方向の動きを規制するロックレバーを有していることを特徴とする請求項２記載の硬貨識別装置。
【発明の詳細な説明】
【技術分野】
【０００１】
本発明は硬貨識別装置に関し、特に自動販売機などに内蔵されて投入された硬貨の識別・収納・払い出しを行う硬貨識別装置に関する。
【背景技術】
【０００２】
硬貨を利用することができる自動販売機などには、投入された硬貨を金種および真贋を識別し、商品が購入された後に、金種別に用意された釣銭筒に収納し、釣銭が必要な場合には、釣銭筒に積載収納されている硬貨から必要枚数の硬貨を払い出すようにした硬貨識別装置が内蔵されている（たとえば、特許文献１参照。）。
【０００３】
図８は従来の硬貨識別装置の概略構成を示す概観図である。
従来の硬貨識別装置は、投入された硬貨の種類を識別し、金種別に硬貨の行き先を振り分ける硬貨識別ユニット部１０１と、識別された硬貨を釣銭または返却硬貨として保留しておく釣銭筒ユニット部１０２と、この釣銭筒ユニット部１０２より硬貨を払い出す払い出しユニット部１０３とを備え、本体（筐体）部１０４に装着されている。
【０００４】
硬貨を保留しておく釣銭筒ユニット部１０２は、保守メンテナンスの際に釣銭硬貨の補充または収納硬貨の回収を行う必要があるため、本体部１０４に着脱自在に取り付けられている。釣銭筒ユニット部１０２は、釣銭硬貨の補充または収納硬貨の回収を容易にするため、金種別に用意された複数の釣銭筒（現行は５本分）を一体とし、ユニット構造をとっている。その釣銭筒ユニット部１０２は、樹脂製の固定ラッチ部材１０５を有しており、本体部１０４にセットして中に押し込んだときには自動的にラッチがかかって本体部１０４に固定され、固定ラッチ部材１０５を操作してラッチを外すことにより、本体部１０４から容易に取り外すことができる。
【特許文献１】特開２００２−２６００６５号公報（段落番号〔００１７〕など，図２）
【発明の開示】
【発明が解決しようとする課題】
【０００５】
しかしながら、従来の硬貨識別装置では、釣銭筒ユニット部が容易に着脱可能であるため、商品を自動販売機に補充するなどの保守メンテナンス時に、作業者が自動販売機の扉をあけてその場を離れたすきに、何者かに釣銭筒ユニット部を取り外して持ち去ってしまうことがあるという問題点があった。
【０００６】
本発明はこのような点に鑑みてなされたものであり、このような犯罪行為を防止および抑止することができる硬貨識別装置を提供することを目的とする。
【課題を解決するための手段】
【０００７】
本発明では上記問題を解決するために、硬貨の種類を識別し金種別に硬貨の行き先を振り分ける硬貨識別ユニット部と、識別された前記硬貨を釣銭または返却硬貨として保留しておく釣銭筒ユニット部と、前記釣銭筒ユニット部より硬貨を払い出す払い出しユニット部とを本体部に装着して構成される硬貨識別装置において、前記本体部に着脱自在に装着された前記釣銭筒ユニット部に設けられて前記釣銭筒ユニット部を前記本体部から容易に取り外せないようにする施錠手段を備えていることを特徴とする硬貨識別装置が提供される。
【０００８】
このような硬貨識別装置によれば、釣銭筒ユニット部に設けた施錠手段によって普段は施錠しておくことにより、商品を自動販売機に補充するなどの保守メンテナンス時に、作業者が自動販売機の扉をあけてその場を離れた場合でも、釣銭筒ユニット部を本体部から容易に取り外すことができないため、犯罪行為を防止および抑止することが可能になる。
【発明の効果】
【０００９】
本発明の硬貨識別装置は、本体部に対して容易に着脱可能な釣銭筒ユニット部に施錠手段を設けたため、商品を自動販売機に補充するなどのために作業者が自動販売機の扉をあけたままにしたとしても、釣銭筒ユニット部を本体部から容易に取り外すことができないため、何者かに釣銭筒ユニット部を持ち去られてしまうことを防止および抑止することができるという利点がある。
【００１０】
また、釣銭筒ユニット部を施錠手段で固定できる構成にしたことにより、施錠手段に従来の硬貨識別装置が採用していた樹脂製の固定ラッチ部材の機能を持たせることができるので、固定ラッチ部材を削減することもできるという利点がある。
【発明を実施するための最良の形態】
【００１１】
以下、本発明の実施の形態を、自動販売機に内蔵されて商品の購入のために投入された硬貨を処理する硬貨識別装置の場合を例に図面を参照して詳細に説明する。
図１は本発明による硬貨識別装置の概略構成を示す概観斜視図、図２は硬貨識別装置の要部を示す図１のＡ部拡大図である。
【００１２】
本発明による硬貨識別装置は、図１に示したように、図の上から硬貨識別ユニット部１、釣銭筒ユニット部２および払い出しユニット部３が並設して本体部４に装着されている。硬貨識別ユニット部１は、自動販売機に投入された硬貨を受けてその種類を識別し、金種別に硬貨の行き先を振り分ける機能を有している。釣銭筒ユニット部２は、硬貨識別ユニット部１の直下に配置されて、硬貨識別ユニット部１により行き先が振り分けられた硬貨を金種別に用意された釣銭筒に収納、若しくはその振り分けられた硬貨を釣銭または返却硬貨として再利用するために保留しておく機能を有している。払い出しユニット部３は、釣銭筒ユニット部２の直下に配置されて、釣銭筒ユニット部２に保留されている硬貨を釣銭または返却硬貨として払い出す機能を有している。
【００１３】
釣銭筒ユニット部２は、キーシリンダ錠５が設けられていて、図２にその詳細を示したように、キーシリンダ錠５に連動して動作するロックレバー６が本体部４に穿設された角穴７に嵌合されており、釣銭筒ユニット部２が本体部４から離脱する方向の動きを規制しており、これによって、釣銭筒ユニット部２を容易に本体部４から取り外すことができないようにしている。次に、この釣銭筒ユニット部２について説明する。
【００１４】
図３は釣銭筒ユニット部の部分破断斜視図、図４はキーシリンダ錠の詳細を示す図である。
釣銭筒ユニット部２は、金種別に設けられた硬貨筒８と、前面を覆っている表カバー９と、この釣銭筒ユニット部２を本体部４に対して着脱可能にする固定ラッチ部材１０と、この釣銭筒ユニット部２を本体部４に固定しておくことができるキーシリンダ錠５とより構成される。
【００１５】
硬貨筒８は、この例では、１０円、５０円、１００円、５００円の４金種分と、釣銭用の５本が用意されている。硬貨筒８は、それぞれ上部が開口されていて、硬貨識別ユニット部１により振り分けられた硬貨を受け入れて、内部にて積層収納する。釣銭用の硬貨筒８については、釣銭用硬貨を補充するときに、その上部の開口部より投入される。
【００１６】
キーシリンダ錠５は、釣銭筒ユニット部２の正面にある表カバー９の上部に配置されている。キーシリンダ錠５は、図４に示したように、正面にキー１１を差し込む環状の溝が設けられ、差し込まれたキー１１の回動動作に連動してたとえば９０度回動動作することができるロックレバー６を備えている。このキーシリンダ錠５のロックレバー６は、その自由端側が折り曲げられてＬ字形状を有している。キーシリンダ錠５が施錠位置にあるときには、図３に示したように、釣銭筒ユニット部２の側壁に設けられた角穴からロックレバー６の折り曲げ部分が出ている状態になり、図４にてロックレバー６を破線で示した解錠位置では、釣銭筒ユニット部２の内部にロックレバー６が退避する状態になる。
【００１７】
図５はキーシリンダ錠を含む断面位置を示す釣銭筒ユニット部の正面図、図６は図５のＢ−Ｂ矢視断面図である。
キーシリンダ錠５にキー１１を差し込み、キー１１を回動してロックレバー６を水平位置にすると、そのロックレバー６の先端の折り曲げ部分が本体部４に設けた角穴７を介して本体部４の外側に位置する。これにより、ロックレバー６が角穴７に嵌合されて、釣銭筒ユニット部２は、本体部４に固定された施錠状態になるので、釣銭筒ユニット部２を手前に引き抜いて本体部４から取り外すことができなくなる。このため、商品を自動販売機に補充するなどの保守メンテナンス時に、作業者が自動販売機の扉をあけてその場を離れた場合でも、釣銭筒ユニット部２を本体部から容易に取り外すことができなくなり、犯罪行為を防止および抑止することが可能になる。
【００１８】
また、ロックレバー６は、その先端がＬ字に曲がっていて本体部４の側面壁を掛止しているため、本体部４の側面壁を左右に拡開して釣銭筒ユニット部２を強引に引き抜くような行為に対しても、これを防止することができる。
【００１９】
図７はキーシリンダ錠の別の取り付け例を示す図である。
本体部４は、硬貨識別ユニット部１と釣銭筒ユニット部２との間に仕切り壁１２を有しいる。この仕切り壁１２には、図示はしないが、角穴が設けられている。釣銭筒ユニット部２には、その仕切り壁１２に隣接した位置にキーシリンダ錠５が設けられている。このキーシリンダ錠５は、施錠時は、そのロックレバー６が垂直位置になって仕切り壁１２に設けられた角穴に嵌合され、解錠時は、水平位置になって、固定ラッチ部材１０により釣銭筒ユニット部２を手前に引き抜いて本体部４から取り外すことができるようになる。
【図面の簡単な説明】
【００２０】
【図１】本発明による硬貨識別装置の概略構成を示す概観斜視図である。
【図２】硬貨識別装置の要部を示す図１のＡ部拡大図である。
【図３】釣銭筒ユニット部の部分破断斜視図である。
【図４】キーシリンダ錠の詳細を示す図である。
【図５】キーシリンダ錠を含む断面位置を示す釣銭筒ユニット部の正面図である。
【図６】図５のＢ−Ｂ矢視断面図である。
【図７】キーシリンダ錠の別の取り付け例を示す図である。
【図８】従来の硬貨識別装置の概略構成を示す概観図である。
【符号の説明】
【００２１】
１  硬貨識別ユニット部
２  釣銭筒ユニット部
３  払い出しユニット部
４  本体部
５  キーシリンダ錠
６  ロックレバー
７  角穴
８  硬貨筒
９  表カバー
１０  固定ラッチ部材
１１  キー
１２  仕切り壁
【図１】
2005339010.tif 000003
【図２】
2005339010.tif 000004
【図３】
2005339010.tif 000005
【図４】
2005339010.tif 000006
【図５】
2005339010.tif 000007
【図６】
2005339010.tif 000008
【図７】
2005339010.tif 000009
【図８】
2005339010.tif 000010